(57)【特許請求の範囲】
【請求項１】
撮像窓が正面部に設けられ前記撮像窓の前方を撮像領域とする撮像部を、有する基部と、
前記基部の側方に設けられ、前記撮像部による撮像前の商品を収納した籠が載置される籠載置部と、
一対の側板を有し、前記基部の側方且つ前記籠載置部の上方に配置され、袋を取り出し可能に保持する袋保持部と、
前記袋保持部に設けられ、ロール状に巻回された粘着テープを引き出し可能に保持するテープホルダと、
前記袋保持部を支持した支持部と、
を備え、
前記支持部は、床に載置される底板と、前記底板の幅方向の両端部に立設され、前記一対の側板の後端部に連結された一対の柱部材と、前記一対の柱部材の上下方向の中間部同士を連結した第一の連結部材と、を有し、前記籠載置部を介して前記基部に固定された読取装置。
【請求項２】
前記第一の連結部材の前面と前記籠載置部の底面とに固定され、前記第一の連結部材を前記籠載置部の後端部に連結した第二連結部材と、
前記一対の柱部材のうち前記基部側の前記柱部材の下部を、前記基部の側面に固定した第三の連結部材と、
を備えた請求項１に記載の読取装置。
【請求項３】
前記テープホルダは、引き出された前記粘着テープを切断する刃を有し、
前記刃の刃先は、前記撮像窓の下端よりも上方の位置且つ前記撮像窓よりも後方の位置に配置されている請求項１または２に記載の読取装置。
【請求項４】
前記テープホルダは、前記袋保持部における前記基部側の反対側に配置されている請求項１ないし３のいずれか一項に記載の読取装置。
【請求項５】
前記テープホルダは、前記刃の刃先の延在方向の端部の周囲から前記刃の刃先の上方と前方とに延出したガード部を有する請求項３に記載の読取装置。
【請求項６】
前記ガード部は、前記刃の刃先の延在方向の両端部の周囲に設けられている請求項５に記載の読取装置。
【請求項７】
前記ガード部は、前記袋保持部の前方に突出している請求項５または６に記載の読取装置。
【発明の詳細な説明】
【技術分野】
【０００１】
本発明の実施形態は、読取装置に関する。
【背景技術】
【０００２】
従来、スーパーマーケット等の小売店に設置され、客の操作を受けて、商品コードを撮像して読み取り、読み取った商品コードを用いて会計処理を行うセルフチェックアウト端末が知られている。
【発明の概要】
【発明が解決しようとする課題】
【０００３】
このようなセルフチェックアウト端末は、利便性の向上が求められている。
【課題を解決するための手段】
【０００４】
実施形態の読取装置は、基部と、籠載置部と、袋保持部と、テープホルダと、支持部と、を備える。前記基部は、撮像窓が正面部に設けられ前記撮像窓の前方を撮像領域とする撮像部を、有する。前記籠載置部は、前記基部の側方に設けられ、前記撮像部による撮像前の商品を収納した籠が載置される。前記袋保持部は、一対の側板を有し、前記基部の側方且つ前記籠載置部の上方に配置され、袋を取り出し可能に保持する。前記テープホルダは、前記袋保持部に設けられ、ロール状に巻回された粘着テープを引き出し可能に保持する。前記支持部は、前記袋保持部を支持した。前記支持部は、床に載置される底板と、前記底板の幅方向の両端部に立設され、前記一対の側板の後端部に連結された一対の柱部材と、前記一対の柱部材の上下方向の中間部同士を連結した第一の連結部材と、を有し、前記籠載置部を介して前記基部に固定された。
【図面の簡単な説明】
【０００５】
【図１】図１は、実施形態にかかるセルフチェックアウト端末を示す斜視図である。
【図２】図２は、実施形態にかかるセルフチェックアウト端末を示す正面図である。
【図３】図３は、実施形態にかかるセルフチェックアウト端末を示す平面図である。
【図４】図４は、実施形態にかかるセルフチェックアウト端末を示す側面図である。
【図５】図５は、実施形態にかかるセルフチェックアウト端末を示す側面図であって、籠載置部に籠が載置された状態を示す図である。
【図６】図６は、実施形態にかかる袋保持部およびテープホルダを示す斜視図である。
【図７】図７は、実施形態にかかるテープホルダを示す斜視図である。
【図８】図８は、実施形態の変形例にかかる袋保持部を示す斜視図である。
【発明を実施するための形態】
【０００６】
以下、図面を参照して、実施形態について詳細に説明する。本実施形態は、読取装置をセルフチェックアウト端末１０１に適用した例である。なお、各図では、セルフチェックアウト端末１０１の前後方向の前方をＸ方向、セルフチェックアウト端末１０１の幅方向をＹ方向、セルフチェックアウト端末１０１の上下方向の上方をＺ方向とする。
【０００７】
図１ないし図４に示すように、本実施形態のセルフチェックアウト端末１０１は、基部としての決済端末２０１と、決済端末２０１の一側方に配置された籠載置装置３０１と、決済端末２０１の他側方に配置された秤装置４０１と、を備えている。
【０００８】
決済端末２０１は、設置部としての床面に設置される台部２０２と、台部２０２の上面に立設された入出力部２０３と、を備えている。
【０００９】
台部２０２は、第１の筐体２１０と、第１の筐体２１０に設けられた入出金装置２１１と、第１の筐体２１０に内蔵された情報処理装置（図示せず）と、を備えている。第１の筐体２１０は、概略直方体状に形成されている。第１の筐体２１０の正面部２１０ａには、入出金装置２１１の硬貨入金口２１３、硬貨出金口２１４、紙幣入金口２１５、紙幣出金口２１６が設けられている。入出金装置２１１の機構部は、第１の筐体２１０に内蔵されている。入出金装置２１１は、硬貨入金口２１３から入金された硬貨および紙幣入金口２１５から入金された紙幣を、機構部の動作によって金種別に収納するとともに、情報処理装置からの指令を受けて硬貨出金口２１４や紙幣出金口２１６から釣り銭を機構部の動作によって払い出す。情報処理装置は、セルフチェックアウト端末１０１の各部を制御する制御部である。
【００１０】
台部２０２の背面には、セルフチェックアウト端末１０１の現在の状態（正常状態やエラー発生状態等）を表示する表示ポール２１７が立設している。表示ポール２１７は、先端部に青色と赤色とに選択的に発光する発光部２１８を有する。
【００１１】
入出力部２０３は、第２の筐体２２０と、第２の筐体２２０に設けられた第１の撮像部２２１と、第２の筐体２２０に設けられたレシートプリンタ２２２と、第２の筐体２２０の上端部に設けられた表示器２２３と、を有する。
【００１２】
第２の筐体２２０は、第１の撮像部２２１およびレシートプリンタ２２２とともに、構造体２２４を構成している。構造体２２４は、第１の筐体２１０の上面２１０ｂ（台部２０２の上面）に設けられている。構造体２２４は、第１の筐体２１０の上面２１０ｂの幅方向（Ｙ方向）の中央部に配置されている。構造体２２４の正面部２２４ａ（第２の筐体２２０の正面壁）には、第１の撮像部２２１の第１の撮像窓２２１ａと、レシートプリンタ２２２のレシート発行口２２２ａとが上下方向に並んで設けられている。レシート発行口２２２ａは、第１の撮像窓２２１ａの下方に設けられている。このように、構造体２２４は、第１の筐体２１０の上面２１０ｂから上方に延出して設けられるとともに第１の撮像窓２２１ａが設けられ、上端部に表示器２２３が設けられている。
【００１３】
第１の撮像部２２１は、商品にバーコードの形態で付された商品コードを光学的に読み取る定置式（固定式）のスキャナである。第１の撮像部２２１は、第２の筐体２２０の一部（上部）を含んで構成されており、第１の撮像窓２２１ａが構造体２２４の正面部２２４ａ（第２の筐体２２０の正面壁）に設けられている。即ち、構造体２２４の正面部２２４ａは、第１の撮像部２２１の正面部を構成している。第１の撮像部２２１は、第２の筐体２２０に内蔵されたＣＣＤ（Charged  Coupled  Device）カメラ等のエリア撮像素子（図示せず）を有し、第１の撮像窓２２１ａの前方を撮像領域Ｅとしている。第１の撮像部２２１は、商品に貼付されたバーコード等のコードシンボルの画像をエリア撮像素子によって撮像し、撮像した画像をデコードしてコードシンボルのコード情報（商品コード等）を取得する。第１の撮像部２２１は、取得したコード情報を情報処理装置に出力する。
【００１４】
レシートプリンタ２２２は、第２の筐体２２０の一部（下部）を含んで構成されており、レシート発行口２２２ａが構造体２２４の正面部２２４ａ（第２の筐体２２０の正面壁）に設けられている。レシートプリンタ２２２は、第２の筐体２２０に内蔵された印字機構（図示せず）を有している。レシートプリンタ２２２は、情報処理装置に制御されて、印字機構によって印字したレシートをレシート発行口２２２ａから発行する。
【００１５】
表示器２２３は、例えば液晶表示器であり、情報処理装置に制御されて各種の情報を表示する。また、表示器２２３の表示面２２３ａには、情報を入力する入力部としてのタッチパネル２２９が取り付けられている。表示器２２３は、構造体２２４の側方に張り出した張出部２２３ｂを有している。
【００１６】
構造体２２４の一側方には、可搬性を有する第２の撮像部２２５と、この第２の撮像部２２５用のトレイ２２６と、が設けられている。一方、構造体２２４の他側方には、ポイントカードやクレジットカード等の磁気カード（情報記録媒体）に対して情報を読み書きするカードリーダライタ２２７が設けられている。
【００１７】
第２の撮像部２２５は、商品にバーコードの形態で付された商品コードを光学的に読み取る可動式のハンディスキャナである。第２の撮像部２２５は、先端部（一端部）に第２の撮像窓（図示せず）が設けられた第３の筐体２２５ｂを有している。第３の筐体２２５ｂは、屈曲形状を有している。第２の撮像部２２５は、第３の筐体２２５ｂに内蔵されたＣＣＤカメラ等のエリア撮像素子（図示せず）を有し、第２の撮像窓の外側を撮像領域としている。第２の撮像部２２５は、商品に貼付されたバーコード等のコードシンボルの画像をエリア撮像素子によって撮像し、撮像した画像をデコードしてコードシンボルのコード情報（商品コード等）を取得する。第２の撮像部２２５は、取得したコード情報を情報処理装置に出力する。第２の撮像部２２５の基端部（他端部）には、コード（電線）としてカールコード２２８が接続されており、第２の撮像部２２５は、カールコード２２８を介して情報を情報処理装置に出力する。なお、図面では、カールコード２２８の一部は省略されている。
【００１８】
籠載置装置３０１は、籠載置部３０２と、袋保持部３０３と、テープホルダ３０４と、を備えている。
【００１９】
籠載置部３０２は、決済端末２０１の一側方に設けられ、第１の撮像部２２１による撮像前の商品を収納した籠３０５（図５）が載置される。籠載置部３０２は、板状に形成されており、その上面３０２ａに籠３０５が載置される。上面３０２ａの周縁部の一部には、柵部材３０６が設けられている。籠載置部３０２は、前後一対の連結部材３０７を介して、台部２０２における第１の筐体２１０の一側面２１０ｃに固定されている。連結部材３０７は、籠載置部３０２の下面に固定されるとともに、第１の筐体２１０の一側面２１０ｃに固定されている。
【００２０】
袋保持部３０３は、袋３０８を保持可能なものである。袋３０８は、一例としてビニール袋であり、水物袋とも呼ばれる。袋保持部３０３は、詳細には、複数の袋３０８からなるロール体３０９を保持可能である。ロール体３０９は、複数の袋３０８が一列状に連接されて構成されたシートが巻回されたものであり、ポリロールタイプと呼ばれる。袋３０８同士の接続部には、ミシン目（切断予定部）が形成されており、袋３０８同士は、ミシン目で分離（切断）可能となっている。
【００２１】
図６に示すように、袋保持部３０３は、一対の側板３１０と、これら一対の側板３１０間に掛け渡された支軸３１１と、を有する。支軸３１１は、ロール体３０９の中心部に設けられた挿通孔に挿通されて、ロール体３０９を回転可能に支持する。支軸３１１は、一対の側板３１０に着脱可能に連結されている。また、一対の側板３１０における支軸３１１の前方には、棒状部材３１２が掛け渡されている。この棒状部材３１２の中央部には、取出部としての切断部３１３が一体に設けられている。切断部３１３は、支軸３１１に支持されたロール体３０９の前方に位置している。切断部３１３は、第１の撮像窓２２１ａの下端２２１ｂよりも上方の位置で袋保持部３０３に設けられている。切断部３１３は、棒状部材３１２の前縁部から前方に張り出している。切断部３１３は、棒状素材が折り曲げられて形成されている。切断部３１３は、上方に凸状であって逆Ｖ字に形成された凸部３１３ａを有する。この凸部３１３ａの頂部３１３ｂに、ロール体３０９から引き出された袋３０８同士の接続部のミシン目が当接した状態で、袋３０８が下方に引っ張られると、切断部３１３によって袋３０８同士がミシン目で切断（分離）される。このように、切断部３１３は、袋保持部３０３に保持された袋３０８を袋保持部３０３から一枚単位で取り出し（離脱）可能としており、袋保持部３０３からの袋３０８の取り出し位置を規定している。つまり、切断部３１３の頂部３１３ｂが袋保持部３０３からの袋３０８の取り出し位置（離脱位置）となっている。
【００２２】
袋保持部３０３は、支持部３２０によって支持されている。支持部３２０は、図１や図２に示すように、床に載置される底板３２１と、この底板３２１の幅方向の両端部に立設された一対の柱部材３２２と、一対の柱部材３２２の上下方向の中間部同士を連結した連結板（連結部材）３２３と、を有している。一対の柱部材３２２は、袋保持部３０３の一対の側板３１０の後端部に連結されている。支持部３２０は、籠載置部３０２を介して決済端末２０１の台部２０２に固定されている。詳細には、連結板３２３が、連結部材３２４を介して籠載置部３０２の後端部に連結されている。連結部材３２４は、連結板３２３の前面と籠載置部３０２の底面とに固定されている。また、一対の柱部材３２２のうち台部２０２側の柱部材３２２の下部は、台部２０２の第１の筐体２１０の一側面２１０ｃに、連結部材３２５を介して固定されている。
【００２３】
支持部３２０に支持された袋保持部３０３は、決済端末２０１の構造体２２４の側方且つ籠載置部３０２の上方に配置されている。切断部３１３は、第１の撮像窓２２１ａよりも後方の位置に配置されている。また、切断部３１３は、籠載置部３０２の直上に配置されている。また、袋保持部３０３は、支持部３２０から前方に延出しており、当該袋保持部３０３の少なくとも一部が籠載置部３０２の直上に位置している。袋保持部３０３は、全体または一部が籠載置部３０２の直上に位置しているのが好適であるが、本実施形態では、一部が籠載置部３０２の直上に位置している。そして、袋保持部３０３と籠載置部３０２との間に、籠載置部３０２に載置された籠３０５を配置可能な空間Ｓ（図４、図５）が形成されている。袋保持部３０３は、籠載置部３０２に載置された籠３０５に比較的に高さが高い一升瓶が収納された場合でも、その一升瓶と干渉しない高さ位置に配置されている。本実施形態では、袋保持部３０３は、支持部３２０に固定されているが、これに限るものではなく、袋保持部３０３は、支持部３２０に上下方向の位置を可変に取り付けられていてもよい。また、本実施形態では、支持部３２０が、決済端末２０１に固定されている例を説明したが、これに限るものではなく、支持部３２０は、決済端末２０１に固定されない自立式のものであってもよい。
【００２４】
テープホルダ３０４は、袋保持部３０３に設けられている。テープホルダ３０４は、袋保持部３０３における決済端末２０１側の反対側に配置されている。テープホルダ３０４は、ロール状に巻回された粘着テープ３３０を引き出し可能に保持するものである。図７に示すように、テープホルダ３０４は、一対の側板３３２と、ロール状の粘着テープ３３０が装着されて一対の側板３３２に回転可能に支持された回転体３３３と、回転体３３３の前方に位置して側板３３２に連設された刃固定部３３４と、刃固定部に３３４に固定されてロール状部分から引き出された粘着テープ３３０を切断する刃３３１を有する。
【００２５】
回転体３３３は、ロール状の粘着テープ３３０の装着孔３３０ａに挿嵌される本体部３３３ａと、この本体部３３３ａの中心部からテープホルダ３０４の幅方向（Ｙ方向）に突出した軸３３３ｂと、を有している。
【００２６】
一対の側板３３２は、それらの下端部が相互に連結されて一体化されている。一対の側板３３２のうち袋保持部３０３側に位置する側板３３２は、袋保持部３０３の一方の側板３１０に重ねられた状態で側板３１０に固定されている。各側板３３２には、回転体３３３の軸３３３ｂを回転可能に支持する溝３３２ａが形成されている。溝３３２ａは、軸３３３ｂを着脱可能に支持している。これにより、回転体３３３を一対の側板３３２から取り外して、回転体３３３に粘着テープ３３０を装着させることが可能となっている。
【００２７】
刃３３１は、粘着テープ３３０の引き出された部分が押し付けられた刃先３３１ａによって粘着テープ３３０を切断する。刃先３３１ａは、刃３３１の前端部の上端部に形成されて、テープホルダ３０４の幅方向（Ｙ方向）に沿って延在している。刃３３１の刃先３３１ａは、第１の撮像窓２２１ａの下端２２１ｂよりも上方の位置且つ第１の撮像窓２２１ａよりも後方の位置に配置されている。
【００２８】
刃固定部３３４は、一対の側板３３４ａを有しており、この側板３３４ａ間に刃３３１が配置されて、一対の側板３３４ａに刃３３１が固定されている。各側板３３４ａには、ガード部３３４ｂが設けられている。ガード部３３４ｂは、刃３３１の刃先３３１ａの延在方向（Ｙ方向）の両端部の周囲に設けられている。ガード部３３４ｂは、刃先３３１ａに対して凸状をなしている。ガード部３３４ｂは、刃３３１の刃先３３１ａの延在方向（Ｙ方向）の端部の周囲から刃３３１の刃先３３１ａの上方（Ｚ方向）と前方（Ｘ方向）とに延出している。ガード部３３４ｂは、少なくとも一部が袋保持部３０３の前方（Ｘ方向）に突出しているのが好適であり、本実施形態では、ガード部３３４ｂの前端部が袋保持部３０３の前方に突出している。
【００２９】
テープホルダ３０４に装着された粘着テープ３３０を使用する場合、客は、回転体３３３に保持された粘着テープ３３０の先端部を持って粘着テープ３３０を前方（手前）に引き出し、引き出した粘着テープ３３０を刃３３１の刃先３３１ａに押し付けて、粘着テープ３３０を切断する。
【００３０】
図１に示すように、秤装置４０１の秤筐体４０２の上部には、秤皿４０３が設けられている。秤皿４０３は、その上面に、袋保持具４０４および一時置き台４０６が設けられている。袋保持具４０４はレジ袋（第２の袋）を開口状態で支持するものである。一時置き台４０６は、第１の撮像部２２１または第２の撮像部２２５でバーコードが読み取られた後の商品を一時的に置く用途で用いられる台である。秤筐体４０２は、秤皿４０３に載置された商品の荷重を電気信号に変換する図示しないロードセルユニットを内蔵する。ロードセルユニットからの出力信号は、決済端末２０１の情報処理装置へ出力される。
【００３１】
上記構成のセルフチェックアウト端末１０１の使用方法を説明する。客は、会計前の商品を入れた籠３０５を籠載置部３０２に置く。そして、客は、決済端末２０１の正面前方に立って、表示器２２３に表示されたスタートボタンをタッチ操作した後、籠３０５の中の商品を取り出し、取り出した商品を、第１の撮像部２２１の第１の撮像窓２２１ａに近接させて、商品に付された商品コードを第１の撮像部２２１に読み取らせる（撮像操作、スキャン操作）。ここで、比較的に大きな商品や重い商品に対しては、客は、第２の撮像部２２５をトレイ２２６から取り出して、第２の撮像部２２５の第２の撮像窓をその商品に近接させて、その商品に付された商品コードを第２の撮像部２２５に読み取らせてもよい（撮像操作、スキャン操作）。この際、情報処理装置は、読み取られた商品コードを用いて商品の登録（記憶）を行う商品登録処理を行う。
【００３２】
次に、客は、商品コードの読み取りがなされた商品を、袋保持具４０４によって開口状態で支持されているレジ袋に詰める。この際、情報処理装置は、秤装置４０１によって計測された商品の重量を用いて周知の重量チェック処理を行う。
【００３３】
客は、商品コードを第１の撮像部２２１に読み取らせる前等、所望に応じて袋３０８を袋保持部３０３から取り出して、商品を袋３０８に詰めることができる。例えば、客は、魚や果物等の水物商品を袋３０８に収納することができる。また、客は、商品を詰めた袋３０８の口を、切断した粘着テープ３３０によって止めることができる。また、客は、商品コードを読み取らせた後、例えばパン等のつぶれ易い商品を一時置き台４０６に載せることができる。
【００３４】
客は、レジ袋への商品の詰め込みが終了したならば、表示器２２３に表示された終了ボタンをタッチ操作し、例えば現金を入出金装置２１１に入金して代金を支払う。その後、客は、レジ袋を袋保持具４０４から取り外す。
【００３５】
以上説明したとおり、本実施形態では、セルフチェックアウト端末１０１が、袋３０８を保持可能な袋保持部３０３を備える。したがって、客が袋３０８を使用することができるので、セルフチェックアウト端末１０１の利便性を向上させることができる。
【００３６】
また、本実施形態では、セルフチェックアウト端末１０１が、袋保持部３０３に設けられたテープホルダ３０４を備える。したがって、客がテープホルダ３０４に保持された粘着テープ３３０を使用することができるので、セルフチェックアウト端末１０１の利便性を向上させることができる。また、袋保持部３０３にテープホルダ３０４が設けられているので、袋３０８を取り出す作業と、粘着テープ３３０を切断して取り出す作業とを連続して良好に行うことができる。
【００３７】
また、本実施形態では、テープホルダ３０４が袋保持部３０３に設けられて、第１の撮像部２２１に対する撮像操作（スキャン操作）における商品の運搬方向で第１の撮像部２２１の上流側に位置している。したがって、テープホルダ３０４が第１の撮像部２２１に対する撮像操作（スキャン操作）の邪魔になるのを抑制することができる。
【００３８】
また、本実施形態では、テープホルダ３０４の刃３３１の刃先３３１ａは、第１の撮像窓２２１ａの下端２２１ｂよりも上方の位置且つ第１の撮像窓２２１ａよりも後方の位置に配置されている。したがって、刃先３３１ａが、第１の撮像部２２１に対する撮像操作（スキャン操作）の邪魔になるのを抑制することができる。
【００３９】
また、本実施形態では、テープホルダ３０４は、袋保持部３０３における決済端末２０１側の反対側に配置されている。したがって、客が袋３０８を比較的に容易に視認することができる。
【００４０】
また、本実施形態では、テープホルダ３０４は、刃３３１の刃先３３１ａの延在方向（Ｙ方向）の端部の周囲から刃３３１の刃先３３１ａの上方と前方とに延出したガード部３３４ｂを有する。したがって、客の指が、刃先３３１ａの側方等から刃先３３１ａに当接するのを抑制して、客の指を保護することができる。このとき、本実施形態では、ガード部３３４ｂは、刃３３１の刃先３３１ａの延在方向の両端部の周囲に設けられているので、客の指の保護効果が大きい。
【００４１】
ここで、決済端末２０１の正面前方に立った状態の客は、決済端末２０１の両側の視認性が比較的に低くなるが、本実施形態では、ガード部３３４ｂが、袋保持部３０３の前方に突出しているので、ガード部３３４ｂがテープホルダ３０４の目印として機能して、客がテープホルダ３０４の場所を認識することができる。
【００４２】
なお、本実施形態では、ガード部３３４ｂを、刃３３１の刃先３３１ａの延在方向の両端部の周囲に設けた例を説明したが、これに限るものではなく、ガード部３３４ｂを、刃３３１の刃先３３１ａの延在方向の両端部のうちの一方の端部の周囲にだけ設けてもよい。また、袋保持部３０３の一方の側板３１０にガード部３３４ｂを設けてもよい。
【００４３】
次に、本実施形態の変形例を説明する。図８に示すように、本変形例の袋保持部３０３Ａは、上面開口の箱形状をなしており、正面部３５０に取出部としての取出口３５０ａが設けられている。本変形例では、袋３０８は、所謂ポリティッシュタイプの形態のものが採用されている。複数の袋３０８は、収納箱３５１に積層状態で相互に係合して収納されており、収納箱３５１は袋保持部３０３Ａに収納されている。そして、収納箱３５１に設けられたスリット３５１ａ、および袋保持部３０３Ａの取出口３５０ａを通って袋３０８が一枚単位で取り出し可能となっており、取出口３５０ａは、袋保持部３０３Ａからの袋３０８の取り出し位置を規定している。つまり、取出口３５０ａが袋保持部３０３Ａからの袋３０８の取り出し位置（離脱位置）となっている。取出口３５０ａの配置は、上述した切断部３１３と同様である。また、この袋保持部３０３Ａにテープホルダ３０４（図８では図示せず）が設けられている。
【００４４】
本発明の実施形態を説明したが、実施形態は、例として提示したものであり、発明の範囲を限定することは意図していない。新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４５】
１０１…セルフチェックアウト端末（読取装置）
２０１…決済端末（基部）
２１０ｃ…一側面（側面）
２２１…第１の撮像部
２２１ａ…第１の撮像窓（撮像窓）
２２４ａ…正面壁（正面部）
３０２…籠載置部
３０３…袋保持部
３０４…テープホルダ
３１０…側板
３２０…支持部
３２１…底板
３２２…柱部材
３２３…連結板（第一の連結部材）
３２４…連結部材（第二の連結部材）
３２５…連結部材（第三の連結部材）
３３０…粘着テープ
３３１…刃
３３１ａ…刃先
３３４ｂ…ガード部
Ｅ…撮像領域
【先行技術文献】
【特許文献】
【００４６】
【特許文献１】特開２００７−２２６４９８号公報
【図１】
0005437329.tif 000002
【図２】
0005437329.tif 000003
【図３】
0005437329.tif 000004
【図４】
0005437329.tif 000005
【図５】
0005437329.tif 000006
【図６】
0005437329.tif 000007
【図７】
0005437329.tif 000008
【図８】
0005437329.tif 000009